Podtech/llm-jp-corpus-v4-ja_patent huggingface dataset:
(57)【要約】      （修正有）【課題】ペットボトルのキャップの開閉を行うとしても高齢者や腱鞘炎等で握力の弱くなった人、年少者や未発達の人達が一人でペットボトルのキャップを快適に開閉出来る様にする。これを実現する為に使いやすさを失わないで、容易に製作出来るキャップ開閉具を提供する。【解決手段】樹脂製のチューブ１を短く切断して潰し、リンク用パーツとして製作した。このチューブの内側に刻みを入れたゴムテープ状のシートの両端に取付けた双方のクリップ２の爪９の片方を差し込み、容易に連結できる様にした。これにより、キャップ開閉リングに柔軟性を持たせ、多少のサイズの違いや溝の違いがあっても使いやすさには問題が起こらない。【選択図】図２
2018140782.tif 000002
【特許請求の範囲】
【請求項１】
刻みを入れたゴムテープ状のシートの両端に取付けた双方のクリップの爪の片方を、樹脂製のチューブを短く切断して潰し、
リンク用パーツとして製作したチューブの内側に差し込み、容易に連結できる様にした事を特徴とする新型キャップ開閉リング。
【請求項２】
樹脂製のチューブを短く切断して潰し製作したリンク用パーツを連結に使用する事により、刻みを入れたゴムテープ状のシート
の両端に取付けた双方のクリップ部が固定されず遊びができる為、リンクの隙間分、柔軟性を持たせる事できサイズの
違いや溝の違いがあっても使いやすさを損なわない請求項１に記載の新型キャップ開閉リング。
【発明の詳細な説明】
【技術分野】
【０００１】
本発明はペットボトルのキャップの開閉補助具に関するもの。
【背景技術】
【０００２】
キャップの開閉グッズとしては多数のものが見受けられるが、請求項１の課題が残され、ニーズがあるにもかかわらず
現実にはあまり使用の実態を耳にする事がない。
【０００３】
又、現在も似たような使用目的ものはあるが高齢者の受けいやすいものは少ない。
【先行技術文献】
【特許文献】
【０００４】
【特許文献１】特開２００９−２９８４１０
【特許文献２】特開２００９−１２６５１７
【特許文献３】特開２０１１−１８４１００
【特許文献４】特許第４１８３１４４号
【発明の概要】
【発明が解決しようとする課題】
【０００５】
以前のものは次のような欠点があった。外出先等で使用したい時、わざわざキャップ開閉グッズを持ち歩くワズラワシサ、
量産が困難であるほか、ペットボトルキャップのメーカー毎に微妙に異なるサイズやまわり止め防止の溝の数等への柔軟な
対応がされていない。
【課題を解決するための手段】
【０００６】
本発明は、上記の課題を解決するために、握力の弱い高齢者がキャップに当てがい軽く握るだけでキャップ開閉リングと
キャップの縦に切られた溝がかみ合い、約４倍のモーメントで快適に開閉できる様にした。
【０００７】
刻みを入れたゴムテープ状のシートの両端に取付けた２つのクリップを、樹脂製のチューブを潰しリンク用パーツ
として使用することにより、容易に連結できる様にした。
【０００８】
また、このリンク用パーツを採用したことにより、これまでよりキャップ開閉リングに柔軟性を持たせることが出来、
多少のサイズの違いや溝の違いがあっても使いやすさに問題が起こらない様にした。
【発明の効果】
【０００９】
本発明の新型キャップ開閉リングを使用することにより、高齢者、障碍者、年少者がいつでも何処でも容易にキャップの
開閉が行える様になった。
【図面の簡単な説明】
【００１０】
【図１】図１は本発明の斜視図を示す。
【図２】図２は本発明の使用例を示す。
【発明を実施するための形態】
【００１１】
本発明の実施形態を図１〜図２に基づいて説明する。
【００１２】
図１は本発明の斜視図で連結用のチューブの内側にゴムシートの両端に取り付けられたクリップの片方の爪の双方を差し込み、
両端を連結する仕組みにした新型キャップ開閉リングの構造を示す。
【００１３】
図２は本発明の使用例を示すと共に  キャップにはめ込み手で開閉している使用状態を示す。
【実施例１】
【００１４】
図２は、本発明の使用例を示す。
【産業上の利用可能性】
【００１５】
高齢者や握力の落ちた人や障害者、年少者が人手を借りず一人でキャップの開閉を行う事が可能になる。いつでも何処でも
キーフォルダーのイメージで携帯でき、違和感なく快適にペットボトルのキャップの開閉が行える様にした。
又、個人や中小の法人で量産が出来ない人でも、簡単に製作できる様になる。
【符号の説明】
【００１６】
１  連結用チューブ
２  クリップ
３  ゴムシート（刻み入り）
４  ペットボトルのキャップ
５  クッションシート
６  手芸用テープリボン
７  ストラップ
８  手
９  クリップの内側の爪
【図１】
2018140782.tif 000003
【図２】
2018140782.tif 000004
【手続補正書】
【提出日】平成29年3月1日(2017.3.1)
【手続補正１】
【補正対象書類名】図面
【補正対象項目名】全図
【補正方法】変更
【補正の内容】
【図１】
2018140782.tif 000005
【図２】
2018140782.tif 000006
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
刻みを入れたゴムテープ状のシートの両端にそれぞれ取り付けられたクリップと、
樹脂製のチューブを短く切断し、潰して製作されたリンク用パーツと  を備え、
前記リンク用パーツの内側に、ゴムテープ状のシートの両端に取付けた、それぞれの
クリップの片方の爪を差し込むことで、容易に連結できるようにしたことを
特徴とする新型キャップ開閉リング。
【請求項２】
請求項１に記載のリンク用パーツを使用することにより、リンクの隙間分の遊びを
もたせ、キャップサイズ、溝の深さの多少の違いがあっても、開閉リングのはめやすさを
損なわないことを特徴とする新型キャップ開閉リング。
(57)【要約】      （修正有）【課題】ひとつのサーフボードで推進力、可動性などの乗り心地が複数の異なるものが楽しめるサーブボードを提供する。【解決手段】一枚のサーフボードにおいて、フィンの種類や大きさの異なるシングルフィン、クワットフィンを希望に応じて付け替えられるボード側の接続部構造とする。【選択図】図４
2018140658.tif 000002
【特許請求の範囲】
【請求項１】
サーフボードのフィン装着部分にシングルフィンシステムとクワットフィンシステムの両方を付け替えられる様にしたサーフボードフィンシステム
【発明の詳細な説明】
【技術分野】
【０００１】
本発明は、一枚のサーフボードにシングルフィンとクワットフィンの2種類のフィンをつけられるようにボード側の接続部分を工夫した発明である。
【背景技術】
【０００２】
従来は、一枚のサーフボードに対してシングルフィンはシングルフィンだけ、トライフィンはトライフィンだけ、クワットフィンはクワットフィンだけしか接続出来なかった。中には、トライフィンとクワットフィンを付け替えられる物もあるが、同じ種類及び大きさのフィンを接続するものであった。
【発明の概要】
【発明が解決しようとする課題】
【０００３】
シングルフィン、クワットフィンの各フィンシステムでサーフボードの乗り心地が全く異なる為、シングルフィンの乗り心地を求めるのであればシングルフィンのサーフボード、クワットフィンのサーフボードの乗り心地を求めるのであればクワットフィンと、ボードが何枚も必要であった。中には、トライフィンとクワットフィンを付け替えられる物もあるが、同じ種類及び大きさのフィンを接続するものであった。本発明では、少ないサーフボードでも従来の倍乗り心地を楽しめる様に工夫した。
【課題を解決するための手段】
【０００４】
一枚のサーフボードで、シングルフィン、クワットフィンと希望に応じて付け替えられる様にボード側の接続部を工夫し、一枚でどちらの乗り心地も体験出来る様にした。これまでにもトライフィンとクワットフィンを付け替えられるボードもあるが、同じ種類及び大きさのフィンを接続するものであったが、本発明は種類や大きさが違っても接続できる様にした。
【発明の効果】
【０００５】
サーフボードには、シングルフィン、トライフィン、クワットフィンなどの各フィンシステムがあり、それぞれに推進力、可動性など乗り心地に全く異なる特徴があるため、異なるフィンでサーフィンを楽しみたい時には、それぞれのボードが何枚も必要であった。中には、トライフィンとクワットフィンを付け替えられる物もあるが、同じ種類及び大きさのフィンを接続するものであった。
本発明では、一枚のサーフボードで、シングルフィン、クワットフィンと希望に応じて付け替えられる様にボード側の接続部を工夫し、一枚でどちらの乗り心地も体験出来る様にした為、1つのサーフボードで二種類の乗り心地を楽しめるようにした。
このため、従来よりも少ないサーフボードを準備すればよくなった。
【図面の簡単な説明】
【０００６】
【図１】サーフボードの全体図
【図２】フィン装着部拡大図  シングルフィン装着時
【図３】フィン装着部拡大図  クワットフィン装着時
【図４】全体図とフィン装着部  二通りの拡大図
【符号の説明】
【０００７】
1  シングルフィン装着部
2  クワットフィン装着部
3  シングルフィン
4  クワットフィン
【図１】
2018140658.tif 000003
【図２】
2018140658.tif 000004
【図３】
2018140658.tif 000005
【図４】
2018140658.tif 000006